(57)【要約】【課題】ＨＤＭＩ端子を介して映像／音声データを入力する際に、常時、制御ＬＳＩの電源をオンにする場合に比べて電力の消費を抑えつつ、当該端子が選択されてから制御ＬＳＩを起動する場合よりも映像／音声の出力を早くできる出力装置を提供する。【解決手段】出力装置１は、ＣＰＵの実行に係る、切替ボタン７０１による外部入力端子の選択動作の開始からＨＤＭＩ端子１４が選択されるより前までの間で、認証を受ける所定の開始タイミングを判断する開始タイミング判断プログラム１３１と、所定の開始タイミングであると判断された場合に、認証部２０の駆動を開始する駆動開始プログラム１３２と、認証部２０の駆動が開始した場合に、認証部２０を停止する停止タイミングを判断する停止タイミング判断プログラム１３３と、認証部２０を停止する停止タイミングであると判断された場合に、認証部２０の駆動を停止する駆動停止プログラム１３４と、を有する。【選択図】図１
2010283560.tif 000002
【特許請求の範囲】
【請求項１】
ＨＤＭＩ端子を含む複数の外部入力端子を備え、各々の前記外部入力端子に接続される外部出力機器より入力した映像／音声データに基づく映像／音声を出力する出力装置において、
複数の前記外部入力端子から一の外部入力端子を選択する選択手段と、
電力が付与されることで駆動する制御ＬＳＩを含み、前記ＨＤＭＩ端子に接続される外部出力機器より映像／音声データを入力する場合に、前記制御ＬＳＩを駆動させ、予め当該外部出力機器より映像／音声データの出力先としての認証を受ける認証手段と、を備え、
前記認証手段は、
前記選択手段による外部入力端子の選択動作の開始から前記ＨＤＭＩ端子が選択されるより前までの間で、前記認証を受ける所定の開始タイミングを判断する開始タイミング判断手段と、
前記開始タイミング判断手段により前記所定の開始タイミングであると判断された場合に、前記制御ＬＳＩの駆動を開始する駆動開始手段と、
前記駆動開始手段により前記制御ＬＳＩの駆動が開始した場合に、前記制御ＬＳＩを停止する所定の停止タイミングを判断する停止タイミング判断手段と、
前記停止タイミング判断手段により制御ＬＳＩを停止する所定の停止タイミングであると判断された場合に、前記制御ＬＳＩの駆動を停止する駆動停止手段と、
を有することを特徴とする出力装置。
【請求項２】
請求項１に記載の出力装置において、
前記選択手段は、
ユーザの選択操作に応じて、映像／音声データを入力する外部入力端子を所定の順序で順々に切替えて選択させる切替選択部と、
前記切替選択部における外部入力端子の順序を予め記憶する記憶手段と、
を備え、
前記開始タイミング判断手段は、
前記切替選択部により選択された外部入力端子を前記記憶手段により記憶された順序により特定する外部入力端子特定手段を有し、
前記記憶手段により記憶された順序に基づいて、前記ＨＤＭＩ端子が前記外部入力端子特定手段により特定された外部入力端子より所定の後順位に位置する場合に、前記所定の開始タイミングであると判断することを特徴とする出力装置。
【請求項３】
請求項２に記載の出力装置において、
前記停止タイミング判断手段は、
前記外部入力端子特定手段により特定された外部入力端子が選択された時点より所定時間が経過するまでに、新たに前記切替選択部が選択操作されたか否かを判断する選択判断手段を有し、
前記選択判断手段により選択操作されていないと判断された場合に、前記所定の停止タイミングであると判断することを特徴とする出力装置。
【請求項４】
請求項１に記載の出力装置において、
前記選択手段は、
ユーザの操作により所定の操作信号を出力する操作部と、
前記操作部の操作に応じて、各々の外部入力端子を所定の表示手段に一覧表示させる表示制御手段と、
前記表示制御手段により一覧表示された外部入力端子より、特定の外部入力端子を前記操作部の操作によりユーザに選択決定させる選択決定手段と、
を備え、
前記開始タイミング判断手段は、前記表示制御手段により各々の外部入力端子が一覧表示された時点で、前記所定の開始タイミングであると判断することを特徴とする出力装置。
【請求項５】
請求項４に記載の出力装置において、
前記停止タイミング判断手段は、
前記選択決定手段により何れの外部入力端子も選択決定されなかった場合又は前記ＨＤＭＩ端子以外の外部入力端子が選択決定された場合に、前記所定の停止タイミングであると判断することを特徴とする出力装置。
【請求項６】
ＨＤＭＩ端子を含む複数の外部入力端子を備え、各々の前記外部入力端子に接続される外部出力機器より入力した映像／音声データに基づく映像／音声を出力する出力装置において、
複数の前記外部入力端子から一の外部入力端子を選択する選択手段と、
電力が付与されることで駆動する制御ＬＳＩを含み、前記ＨＤＭＩ端子に接続される外部出力機器より映像／音声データを入力する場合に、前記制御ＬＳＩを駆動させ、予め当該外部出力機器より映像／音声データの出力先としての認証を受ける認証手段と、を備え、
前記認証手段は、
前記選択手段による外部入力端子の選択動作の開始から前記ＨＤＭＩ端子が選択されるより前までの間で、前記認証を受ける所定の開始タイミングを判断する開始タイミング判断手段と、
前記開始タイミング判断手段により前記所定の開始タイミングであると判断された場合に、前記制御ＬＳＩの駆動を開始する駆動開始手段と、
前記駆動開始手段により前記制御ＬＳＩの駆動が開始した場合に、前記制御ＬＳＩを停止する所定の停止タイミングを判断する停止タイミング判断手段と、
前記停止タイミング判断手段により前記所定の停止タイミングであると判断された場合に、前記制御ＬＳＩの駆動を停止する駆動停止手段と、
を有し、
前記選択手段は、
ユーザの選択操作に応じて、映像／音声データを入力する外部入力端子を所定の順序で順々に切替えて選択させる切替選択部と、
前記選択部における外部入力端子の順序を予め記憶する記憶手段と、
を備え、
前記開始タイミング判断手段は、
前記選択部により選択された外部入力端子を前記記憶手段により記憶された順序により特定する外部入力端子特定手段を有し、
前記記憶手段により記憶された順序に基づいて、前記ＨＤＭＩ端子が前記外部入力端子特定手段により特定された外部入力端子より所定の後順位に位置する場合に、前記所定の開始タイミングであると判断し、
前記停止タイミング判断手段は、
前記外部入力端子特定手段により特定された外部入力端子が選択された時点より所定時間が経過するまでに、新たに前記切替選択部が選択操作されたか否かを判断する選択判断手段を有し、
前記選択判断手段により選択操作されていないと判断された場合に、前記所定の停止タイミングであると判断することを特徴とする出力装置。
【発明の詳細な説明】
【技術分野】
【０００１】
本発明は、映像／音声を出力する出力装置に関する。
【背景技術】
【０００２】
昨今、テレビジョン等の出力装置には、コンポジット端子，D端子等の多様な外部入力端子が備えられており、当該端子を介して多用な形式の映像／音声データを出力できるように構成されている。
特に、近年のＡＶ機器においては、非圧縮のデジタル映像／音声データを入力可能で、画質や音声を劣化させずに当該映像／音声を出力できるＨＤＭＩ端子を備えたものが主流になりつつある（例えば、特許文献１〜４等参照）。
【０００３】
ところで、上記ＨＤＭＩ端子を介して外部より映像／音声データを入力する場合、ホットプラグ制御機能を実行させて（ＨＤＭＩ制御用のＬＳＩを駆動させて）、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）と呼ばれる著作権保護技術に関する認証を受ける必要がある（認証を受けていない場合は、映像／音声データの送信が送信側から拒絶されてしまう）。
そのため、ＨＤＭＩ端子を介して映像／音声データを入力する場合、入力前に上記ホットプラグ制御機能を実行してＨＤＣＰの認証を受けておかなければ、認証に要する時間分、映像／音声の出力に遅れが生じる。しかしながら、上記出力の遅れを回避するために、常時ホットプラグ制御をオンにした場合、ＨＤＭＩ制御用のＬＳＩが継続的に駆動するため消費電力が嵩むという問題がある。
【０００４】
そこで、例えば、ＨＤＭＩインターフェースを備えたカムコーダにおいて、ＨＤＭＩ端子に対応する有効な機器が接続された場合にのみ、ＨＤＭＩ制御用のＬＳＩの電源をオンにすることで、不要な電力の消費を省いたものが知られている（例えば、特許文献５等参照）。
【先行技術文献】
【特許文献】
【０００５】
【特許文献１】特開２００９−０６０２０４号公報
【特許文献２】特開２００８−２８３４６９号公報
【特許文献３】特開２００７−３１７０７３号公報
【特許文献４】特開２００７−２７４２９６号公報
【特許文献５】特開２００８−１５８５９５号公報
【発明の概要】
【発明が解決しようとする課題】
【０００６】
しかしながら、上記特許文献５に記載の発明では、ＨＤＭＩ端子に対応する有効な機器が接続された状態において、ＨＤＭＩ端子以外の外部入力端子にも機器が接続されている場合、ユーザが必ずしも当該ＨＤＭＩ端子に対応する機器より入力される映像／音声の出力を選択するとは限られないため、本来駆動すべきでないタイミングでＬＳＩの電源がオンにされることで、依然不要な電力が消費されるおそれがあった。
【０００７】
本発明の課題は、ＨＤＭＩ端子を介して映像／音声データを入力する際に、常時、制御ＬＳＩの電源をオンにする場合に比べて電力の消費を抑えつつ、当該端子が選択されてから制御ＬＳＩを起動する場合よりも映像／音声の出力を早くできる出力装置を提供することである。
【課題を解決するための手段】
【０００８】
上記課題を解決するため、請求項１に記載の発明は、ＨＤＭＩ端子を含む複数の外部入力端子を備え、各々の前記外部入力端子に接続される外部出力機器より入力した映像／音声データに基づく映像／音声を出力する出力装置において、複数の前記外部入力端子から一の外部入力端子を選択する選択手段と、電力が付与されることで駆動する制御ＬＳＩを含み、前記ＨＤＭＩ端子に接続される外部出力機器より映像／音声データを入力する場合に、前記制御ＬＳＩを駆動させ、予め当該外部出力機器より映像／音声データの出力先としての認証を受ける認証手段と、を備え、前記認証手段は、前記選択手段による外部入力端子の選択動作の開始から前記ＨＤＭＩ端子が選択されるより前までの間で、前記認証を受ける所定の開始タイミングを判断する開始タイミング判断手段と、前記開始タイミング判断手段により前記所定の開始タイミングであると判断された場合に、前記制御ＬＳＩの駆動を開始する駆動開始手段と、前記駆動開始手段により前記制御ＬＳＩの駆動が開始した場合に、前記制御ＬＳＩを停止する所定の停止タイミングを判断する停止タイミング判断手段と、前記停止タイミング判断手段により制御ＬＳＩを停止する所定の停止タイミングであると判断された場合に、前記制御ＬＳＩの駆動を停止する駆動停止手段と、を有することを特徴とする。
【０００９】
請求項２に記載の発明は、請求項１に記載の出力装置において、前記選択手段は、ユーザの選択操作に応じて、映像／音声データを入力する外部入力端子を所定の順序で順々に切替えて選択させる切替選択部と、前記切替選択部における外部入力端子の順序を予め記憶する記憶手段と、を備え、前記開始タイミング判断手段は、前記切替選択部により選択された外部入力端子を前記記憶手段により記憶された順序により特定する外部入力端子特定手段を有し、前記記憶手段により記憶された順序に基づいて、前記ＨＤＭＩ端子が前記外部入力端子特定手段により特定された外部入力端子より所定の後順位に位置する場合に、前記所定の開始タイミングであると判断することを特徴とする。
【００１０】
請求項３に記載の発明は、請求項２に記載の出力装置において、前記停止タイミング判断手段は、前記外部入力端子特定手段により特定された外部入力端子が選択された時点より所定時間が経過するまでに、新たに前記切替選択部が選択操作されたか否かを判断する選択判断手段を有し、前記選択判断手段により選択操作されていないと判断された場合に、前記所定の停止タイミングであると判断することを特徴とする。
【００１１】
請求項４に記載の発明は、前記選択手段は、ユーザの操作により所定の操作信号を出力する操作部と、前記操作部の操作に応じて、各々の外部入力端子を所定の表示手段に一覧表示させる表示制御手段と、前記表示制御手段により一覧表示された外部入力端子より、特定の外部入力端子を前記操作部の操作によりユーザに選択決定させる選択決定手段と、を備え、前記開始タイミング判断手段は、前記表示制御手段により各々の外部入力端子が一覧表示された時点で、前記所定の開始タイミングであると判断することを特徴とする。
【００１２】
請求項５に記載の発明は、前記停止タイミング判断手段は、前記選択決定手段により何れの外部入力端子も選択決定されなかった場合又は前記ＨＤＭＩ端子以外の外部入力端子が選択決定された場合に、前記所定の停止タイミングであると判断することを特徴とする。
【００１３】
請求項６に記載の発明は、ＨＤＭＩ端子を含む複数の外部入力端子を備え、各々の前記外部入力端子に接続される外部出力機器より入力した映像／音声データに基づく映像／音声を出力する出力装置において、複数の前記外部入力端子から一の外部入力端子を選択する選択手段と、電力が付与されることで駆動する制御ＬＳＩを含み、前記ＨＤＭＩ端子に接続される外部出力機器より映像／音声データを入力する場合に、前記制御ＬＳＩを駆動させ、予め当該外部出力機器より映像／音声データの出力先としての認証を受ける認証手段と、を備え、前記認証手段は、前記選択手段による外部入力端子の選択動作の開始から前記ＨＤＭＩ端子が選択されるより前までの間で、前記認証を受ける所定の開始タイミングを判断する開始タイミング判断手段と、前記開始タイミング判断手段により前記所定の開始タイミングであると判断された場合に、前記制御ＬＳＩの駆動を開始する駆動開始手段と、前記駆動開始手段により前記制御ＬＳＩの駆動が開始した場合に、前記制御ＬＳＩを停止する所定の停止タイミングを判断する停止タイミング判断手段と、前記停止タイミング判断手段により前記所定の停止タイミングであると判断された場合に、前記制御ＬＳＩの駆動を停止する駆動停止手段と、を有し、前記選択手段は、ユーザの選択操作に応じて、映像／音声データを入力する外部入力端子を所定の順序で順々に切替えて選択させる切替選択部と、前記選択部における外部入力端子の順序を予め記憶する記憶手段と、を備え、前記開始タイミング判断手段は、前記選択部により選択された外部入力端子を前記記憶手段により記憶された順序により特定する外部入力端子特定手段を有し、前記記憶手段により記憶された順序に基づいて、前記ＨＤＭＩ端子が前記外部入力端子特定手段により特定された外部入力端子より所定の後順位に位置する場合に、前記所定の開始タイミングであると判断し、前記停止タイミング判断手段は、前記外部入力端子特定手段により特定された外部入力端子が選択された時点より所定時間が経過するまでに、新たに前記切替選択部が選択操作されたか否かを判断する選択判断手段を有し、前記選択判断手段により選択操作されていないと判断された場合に、前記所定の停止タイミングであると判断することを特徴とする。
【発明の効果】
【００１４】
本発明によればＨＤＭＩ端子に接続される外部出力機器より映像／音声データを入力する場合に、ＨＤＭＩ端子が選択されるよりも前に、制御ＬＳＩを駆動させて予め認証を受けることができるので、ＨＤＭＩ端子が選択されてから制御ＬＳＩを起動する場合よりも映像／音声の出力をより早くすることができる。また、認証手段は、開始タイミング判断手段により所定の開始タイミングと判断された状態で、停止タイミング判断手段により制御ＬＳＩを停止する所定の停止タイミングと判断された場合には、制御ＬＳＩの駆動を停止するので、本来駆動すべきでないタイミングでＬＳＩの電源がオン状態のままにされることを防ぎ、不要な電力の消費が極力抑えられる。
よって、本発明は、ＨＤＭＩ端子を介して映像／音声データを入力する際に、常時、制御ＬＳＩの電源をオンにする場合に比べて電力の消費を抑えつつ、当該端子が選択されてから制御ＬＳＩを起動する場合よりも映像／音声の出力を早くできる出力装置であるといえる。
【図面の簡単な説明】
【００１５】
【図１】本発明に係る出力装置の要部構成を例示するブロック図である。
【図２】第１実施形態における順序データの構成を模式的に示す図である。
【図３】第１実施形態における出力装置による認証処理を説明するためのフローチャートである。
【図４】第２実施形態における出力装置の要部構成を例示するブロック図である。
【図５】第２実施形態における出力装置の表示部に外部入力端子が一覧表示された状態を模式的に示す図である。
【図６】第２実施形態における出力装置による認証処理を説明するためのフローチャートである。
【発明を実施するための形態】
【００１６】
「第１実施形態」
以下、本発明に係る出力装置の第１実施の形態について、図１〜図２を参照しながら説明する。なお、発明の範囲は図示例に限定されない。
【００１７】
第１実施形態における出力装置１は、例えば、図１に示すように、ＡＶ機器１００１〜１００４（外部出力機器）やアンテナ／チューナ（図示省略）より映像／音声データ（映像／音声信号）を入力して、当該入力した映像／音声データに基づく映像／音声を出力する液晶テレビジョンやプラズマテレビジョン等である。
【００１８】
そして、出力装置１は、ＡＶ機器１００１〜１００４より映像／音声データを入力するための複数の外部入力端子を含むインターフェース部１０と、ＨＤＭＩ端子を介して映像／音声データを入力するためにＨＤＣＰの認証を受ける認証部２０（認証手段、制御ＬＳＩ）と、放送データを受信する放送受信部３０と、映像／音声データの入力経路を切替える入力切替部５０と、入力切替部５０を介して入力される映像／音声データに対して所定のデータ処理を行う処理部６０と、出力される映像データに対してＯＳＤ(On Screen Display)データを付加するＯＳＤ回路８０と、処理部６０から入力される映像データに基づいて映像を出力する表示部５００と、処理部６０から入力される音声データに基づいて音声を出力するスピーカ６００と、ユーザに所定の入力・選択操作を実行させるコントロール部７００（選択手段）と、出力装置１の各部を統括制御する制御部１００と、等を含んで構成される。
【００１９】
インターフェース部１０は、例えば、Ｓ端子１１，Ｄ端子１２，コンポジット端子１３，デジタル家電等に用いられるインターフェースとしてのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子１４等の複数の外部入力端子を含んで構成される。そして、インターフェース部１０には、各々の外部入力端子（Ｓ端子１１〜ＨＤＭＩ端子１４）に接続され、映像／音声データを伝送可能なＡＶ機器１００１〜１００４がそれぞれ接続される。
【００２０】
認証部２０は、例えば、電力が付与されることで駆動するＬＳＩ（制御ＬＳＩ）で構成されており、ＨＤＭＩ端子１４に接続されるＡＶ機器１００４より映像／音声データを入力する場合に、出力装置１に備えられる電力源（図示省略）より供給される電力により駆動し、予めＡＶ機器１００４より映像／音声データの出力先としての認証を受ける。
この認証処理にはＨＤＣＰ（Ｈｉｇｈ−ｂａｎｄｗｉｄｔｈ Ｄｉｇｉｔａｌ Ｃｏｎｔｅｎｔ Ｐｒｏｔｅｃｔｉｏｎ）と呼ばれる著作権保護技術が利用されている。
具体的には、制御部１００より認証部２０の駆動を開始する信号（電力供給の信号）が入力されると、認証部２０が駆動し、認証部２０に備えられるメモリ（図示省略）に格納された認証情報がＡＶ機器１００４に送信される。すると、ＡＶ機器１００４は上記受信した認証情報に基づいて、出力装置１が映像／音声データの出力先として不正な機器ではないか否かの判断を行う。そして、ＡＶ機器１００４が出力装置１を不正な機器ではないと判断した場合、出力装置１は、ＡＶ機器１００４により暗号化された映像／音声データをＨＤＭＩ端子１４を介して受信可能となる。
【００２１】
放送受信部３０は、例えば、アンテナ／チューナ等を含んで構成され、チューナにて所定のチューニング処理を施してアンテナより受信される放送データを入力する。
【００２２】
入力切替部５０は、インターフェース部１０に備えられた各々の外部入力端子（Ｓ端子１１〜ＨＤＭＩ端子１４）や放送受信部３０等より入力可能な映像／音声データ（放送データ）の中で、制御部１００により指定される特定の映像／音声が表示部５００／スピーカ６００に出力されるように、入力経路の切替えを行う。
【００２３】
処理部６０は、制御部１００から入力される制御信号に従って、例えば、入力切替部５０を介して入力される一の映像／音声データに所定の処理を施して、映像データと音声データを分離し、各々のデータにデコード処理などの所定の処理を施す。
また、当該入力された映像／音声データが、ＨＤＭＩ端子１４を介して入力される暗号化された映像／音声データであった場合、当該データへの復号処理を実行する。
【００２４】
ＯＳＤ回路８０は、表示部５００に出力される映像データに対して、後述の記憶部１３０に記憶される図示しないＯＳＤデータを合成する処理を行う。
【００２５】
表示部５００は、例えば、液晶パネルやプラズマディスプレイパネル等で構成される映像表示用のディスプレイであり、処理部６０から入力された映像データに基づく映像を出力する。
スピーカ６００は、例えば、処理部６０から入力された音声データに基づく音声を出力する。
【００２６】
コントロール部７００は、例えば、切替ボタン７０１（切替選択部）を有し、出力装置１の筐体面に設けられる操作ボタン／操作パネルや、出力装置１を遠隔操作するためのリモートコントローラ（図示省略）及び当該リモートコントローラから送信される操作信号を受信可能な受信部（図示省略）等を含む。そして、ユーザによりインターフェース部１０から一の外部入力端子を選択するための操作等が行われると、当該操作に応じた各種操作信号を制御部１００に出力し、制御部１００が当該操作信号に応じた各種処理を実行するように構成されている。
また、切替ボタン７０１は、ユーザのボタン押下（選択操作）に応じて、後述の順序データ１３５に記述された順序で並べられた外部入力端子（Ｓ端子１１〜ＨＤＭＩ端子１４）から、映像／音声データを入力する外部入力端子を、上記順序データ１３５記載の順序で順々に切替えて選択させるためのボタンである。
【００２７】
制御部１００は、ＣＰＵ１１０と、ＲＡＭ１２０と、記憶部１３０と、を含んで構成され、出力装置１に備えられる各構成を統括制御する。
また、制御部１００は、コントロール部７００より操作信号が入力されると、当該操作信号に応じた各種処理を実行するため、コントロール部７００とともに選択手段として機能する。
【００２８】
ＣＰＵ１１０は、出力装置１の各部から入力される入力信号に応じて、記憶部１３０に格納された各種プログラムを実行するとともに、実行にかかるプログラムに基づいて各部に出力信号を出力することにより、リモートコントローラ１の動作全般を統括制御する。
【００２９】
ＲＡＭ１２０は、例えば、ＣＰＵ１１０により実行される処理プログラム等を展開するためのプログラム格納領域や、入力データや処理プログラムが実行される際に生じる処理結果等を格納するデータ格納領域などを備える。
【００３０】
記憶部１３０は、ＣＰＵ１１０が実行するプログラムを格納したエリアや当該プログラムの実行に必要な各種データを格納するエリアを備えて構成され、例えば、開始タイミング判断プログラム１３１（認証手段、開始タイミング判断手段、外部入力端子特定手段）、駆動開始プログラム１３２（認証手段、駆動開始手段）と、停止タイミング判断プログラム１３３（認証手段、停止タイミング判断手段、選択判断手段）と、駆動停止プログラム１３４（認証手段、駆動停止手段）と、順序データ１３５（記憶手段）と、等を備えている。
【００３１】
順序データ１３５は、例えば、図２に示すように、ユーザが切替ボタン７０１を押下して、映像／音声データを入力する外部入力端子（Ｓ端子１１〜ＨＤＭＩ端子１４）を順々に切替えて選択する際の順序を、番号の昇順等で予め記憶したデータである。
【００３２】
開始タイミング判断プログラム１３１は、切替ボタン７０１による外部入力端子の選択動作の開始からＨＤＭＩ端子１４が選択されるより前までの間で、認証部２０により認証を受ける開始タイミングを判断する機能をＣＰＵ１１０に実行させるプログラムである。
具体的には、ユーザが切替ボタン７０１を操作し、当該操作による操作信号が入力されると、ＣＰＵ１１０は開始タイミング判断プログラム１３１を実行し、順序データ１３５を参照して、順位データ１３５に記載された外部入力端子の順位を循環させて順位データ１３５を更新する（つまり、図２に示す、１の順位：Ｓ端子，２の順位：Ｄ端子，３の順位：コンポジット端子，・・・、の状態で切替ボタン７０１が一度操作されると、８の順位：Ｓ端子，１の順位：Ｄ端子，２の順位：コンポジット端子・・・、のように変化させる）。  そして、ＣＰＵ１１０は上記更新された順序データ１３５の１の順位の外部入力端子を、上記操作によりユーザに選択された外部入力端子を特定する。そして、順序データ１３５の順序に基づいて、ＨＤＭＩ端子１４が当該特定された外部入力端子より後順位に位置する（つまり、図２の順位が大きい）場合に、認証を受ける開始タイミングであると判断する。
【００３３】
駆動開始プログラム１３２は、開始タイミング判断プログラム１３１により開始タイミングであると判断された場合に、認証部２０の駆動を開始する機能をＣＰＵ１１０に実行させるプログラムである。
具体的には、ＣＰＵ１１０が開始タイミング判断プログラム１３１を実行して開始タイミングであると判断すると、駆動開始プログラム１３２を実行し、認証部２０に電力を供給するための信号を生成し、認証部２０に出力してＨＤＣＰの認証を開始する。
【００３４】
停止タイミング判断プログラム１３３は、駆動開始プログラム１３２により認証部２０の駆動が開始した場合に、認証部２０を停止する停止タイミングを判断する機能をＣＰＵ１１０に実行させるプログラムである。
具体的には、ＣＰＵ１１０は、開始タイミング判断プログラム１３１の実行により特定した外部入力端子が選択された時点より予め設定された時間が経過するまでに、新たに切替ボタン７０１がユーザに押下されたか否かを判断する。そして、ＣＰＵ１１０は、上記設定された時間内に押下されていないと判断した場合に、停止タイミングであると判断する（つまり、新たな外部入力端子に切替えられることが無く、ＨＤＭＩ端子１４が選択されないため、認証部２０による認証は不要と判断する）。
【００３５】
駆動停止プログラム１３４は、停止タイミング判断プログラム１３３の実行により認証部２０を停止する停止タイミングであると判断した場合に、認証部２０の駆動を停止する機能をＣＰＵ１１０に実行させるプログラムである。
具体的には、ＣＰＵ１１０が停止タイミング判断プログラム１３３を実行して停止タイミングであると判断すると、駆動停止プログラム１３４を実行し、認証部２０への電力の供給を停止するための信号を生成し、認証部２０に出力してＨＤＣＰの認証を終了する。
【００３６】
ＡＶ機器１００１〜１００４は、例えば、Ｓ端子，Ｄ端子，コンポジット端子，ＨＤＭＩ端子等の外部出力端子を備え、当該外部出力端子と出力装置１のインターフェース部１０とを接続するケーブルを介して、映像／音声データを出力装置１に出力する。
【００３７】
（認証処理）
次に、図３のフローチャートを参照しながら、本実施形態の出力装置１により行われる認証処理の流れについて説明する。
【００３８】
まず、ユーザがコントロール部７００の切替ボタン７０１を押下し、外部入力端子の選択操作を行う（ステップＳ１）。
すると、ＣＰＵ１１０は、開始タイミング判断プログラム１３１を実行し、順序データ１３５を参照して上記ステップＳ１の操作によりユーザが選択した外部入力端子を特定する（ステップＳ２）。
【００３９】
次いで、ＣＰＵ１１０は、順序データ１３５の順序に基づいて、ＨＤＭＩ端子１４が上記ステップＳ２にて特定された外部入力端子より後順位に位置するか否かを判断する（ステップＳ３）。
そして、ＣＰＵ１１０は、後順位に位置しないと判断した場合（ステップＳ３；Ｎｏ）、ステップＳ１以降の処理を繰り返す。
一方で、ＣＰＵ１１０は、後順位に位置すると判断した場合（ステップＳ３；Ｙｅｓ）、認証を受ける開始タイミングであると判断し、駆動開始プログラム１３２を実行して認証部２０の駆動を開始する（ステップＳ４）。
【００４０】
次いで、ＣＰＵ１１０は、停止タイミング判断プログラム１３３を実行し、ステップＳ２にて特定した外部入力端子が選択された時点より予め設定された時間が経過するまでに、新たに切替ボタン７０１がユーザに押下されたか否かを判断する（ステップＳ５）。
そして、ＣＰＵ１１０は、ユーザに押下されていないと判断した場合（ステップＳ５；Ｎｏ）、駆動停止プログラム１３４を実行して認証部２０の駆動を停止し（ステップＳ６）、ステップＳ１以降の処理を繰り返す。
【００４１】
一方で、ＣＰＵ１１０は、ステップＳ５にてユーザに押下されたと判断した場合（ステップＳ５；Ｙｅｓ）、当該押下後に選択された外部入力端子がＨＤＭＩ端子１４であるか否かを判断する（ステップＳ７）。
そして、ＣＰＵ１１０は、ＨＤＭＩ端子１４でないと判断した場合（ステップＳ７；Ｎｏ）、ステップＳ５以降の処理を繰り返す。
一方で、ＣＰＵ１１０は、ＨＤＭＩ端子１４であると判断した場合（ステップＳ７；Ｙｅｓ）、認証処理を完了させ、入力切替部５０や処理部６０に所定の制御信号を出力して外部入力端子のＨＤＭＩ端子１４への入力切替え処理を行う（ステップＳ８）。
【００４２】
以上説明した本実施形態における出力装置１によれば、インターフェース部１０に備えられる複数の外部入力端子（Ｓ端子１１〜ＨＤＭＩ端子１４）から一の外部入力端子を選択するコントロール部７００及び制御部１００と、電力が付与されることで駆動する認証部２０を含み、ＨＤＭＩ端子１４に接続されるＡＶ機器１００４より映像／音声データを入力する場合に、認証部２０を駆動させ、予め当該ＡＶ機器１００４より映像／音声データの出力先としての認証を受ける認証手段を備え、認証手段は、ＣＰＵ１１０の実行に係る、切替ボタン７０１による外部入力端子の選択動作の開始からＨＤＭＩ端子１４が選択されるより前までの間で、認証を受ける所定の開始タイミングを判断する開始タイミング判断プログラム１３１と、開始タイミング判断プログラム１３１の実行により所定の開始タイミングであると判断された場合に、認証部２０の駆動を開始する駆動開始プログラム１３２と、駆動開始プログラム１３２の実行により認証部２０の駆動が開始した場合に、認証部２０を停止する停止タイミングを判断する停止タイミング判断プログラム１３３と、停止タイミング判断プログラム１３３の実行により認証部２０を停止する停止タイミングであると判断された場合に、認証部２０の駆動を停止する駆動停止プログラム１３４と、を有する。
【００４３】
つまり、出力装置１によれば、ＨＤＭＩ端子１４に接続されるＡＶ機器１００４より映像／音声データを入力する場合に、ＨＤＭＩ端子１４が選択されるよりも前に、認証部２０を駆動させて予め認証を受けることができるので、ＨＤＭＩ端子１４が選択されてから認証部２０を起動する場合よりも映像／音声の出力をより早くすることができる。また、認証手段は、ＣＰＵ１１０の開始タイミング判断プログラム１３１の実行により所定の開始タイミングと判断された状態で、ＣＰＵ１１０の停止タイミング判断プログラム１３３の実行により認証部２０を停止する所定の停止タイミングと判断された場合には、認証部２０の駆動を停止するので、本来駆動すべきでないタイミングで認証部２０に電力が供給されることを防ぎ、不要な電力の消費が極力抑えられる。
よって、本発明は、ＨＤＭＩ端子を介して映像／音声データを入力する際に、常時、制御ＬＳＩの電源をオンにする場合に比べて電力の消費を抑えつつ、当該端子が選択されてから制御ＬＳＩを起動する場合よりも映像／音声の出力を早くできる出力装置であるといえる。
【００４４】
また、出力装置１によれば、コントロール部７００は、ユーザの選択操作に応じて、所定の順序に並べられた外部入力端子から、映像／音声データを入力する外部入力端子を順々に切替えて選択させる切替ボタン７０１を備え、制御部１００は、切替ボタン７０１における外部入力端子の順序を予め記憶する順序データ１３５を備え、開始タイミング判断プログラム１３１は、切替ボタン７０１により選択された外部入力端子を順序データ１３５に記憶された順序により特定し、順序データ１３５により記憶された順序に基づいて、ＨＤＭＩ端子１４が上記特定した外部入力端子より所定の後順位に位置する場合に、所定の開始タイミングであると判断する機能をＣＰＵ１１０に実行させる。
【００４５】
つまり、ＨＤＭＩ端子がユーザの選択した外部入力端子より後順位にあり、切替ボタン７０１の選択次第でＨＤＭＩ端子１４がユーザに選択される可能性が生じた状態に至ると、はじめてＣＰＵ１１０が開始タイミングと判断するので、一層好適に認証部２０の電力の消費を抑えることが可能となる。
【００４６】
また、出力装置１によれば、停止タイミング判断プログラム１３３は、ＣＰＵ１１０の開始タイミング判断プログラム１３１の実行により特定された外部入力端子が選択された時点より所定時間が経過するまでに、新たに切替ボタン７０１が選択操作されたか否かを判断し、選択操作されていないと判断された場合に、所定の停止タイミングであると判断する機能をＣＰＵ１１０に実行させる。
【００４７】
つまり、ユーザが外部入力端子を選択した後に、所定時間が経過するまでに新たに切替ボタン７０１が選択操作されなかった場合、その後ＨＤＭＩ端子１４が選択される可能性は低いことが予測されるため、ＣＰＵ１１０が停止タイミングであると判断することで、一層好適に認証部２０の電力の消費を抑えることが可能となる。
【００４８】
「第２実施形態」
本発明に係る出力装置の別の実施形態について、図４〜図６を用いて説明する。
上記実施形態１における出力装置１では、コントロール部７００の切替ボタン７０１をユーザが選択操作することで、順序データ１３５に記述された順序で並べられた外部入力端子が順々に切替えられるように構成されていたが、表示部５００に複数の外部入力端子を一覧表示させ、ユーザがコントロール部７００を介して上記一覧より特定の外部入力端子を選択できるように構成してもよい。
この場合の第２実施形態における出力装置１ａについて以下に説明する。なお、第１実施形態と同じ符号が付された箇所は、第１実施形態と同一の構造を有するものであり、説明を省略する。
【００４９】
出力装置１ａは、図４に示すように、インターフェース部１０と、認証部２０と、放送受信部３０と、入力切替部５０と、処理部６０と、ＯＳＤ回路８０と、表示部５００と、スピーカ６００と、コントロール部７００ａ（選択手段、操作部）と、制御部１００と、等を含んで構成される。
【００５０】
コントロール部７００ａは、例えば、表示ボタン７０１ａと、選択／決定部７０２ａ（選択決定手段）と、を有し、出力装置１の筐体面に設けられる操作ボタン／操作パネルや、出力装置１を遠隔操作するためのリモートコントローラ（図示省略）及び当該リモートコントローラから送信される操作信号を受信可能な受信部（図示省略）等を含む。そして、コントロール部７００ａは、ユーザにより所定の操作が行われると、当該操作に応じた各種操作信号を制御部１００に出力し、制御部１００が当該操作信号に応じた各種処理を実行するように構成されている。
表示ボタン７０１ａは、複数の外部入力端子を表示部５００に一覧表示させるためのボタンであり、ユーザが表示ボタン７０１ａを押下することにより、後述の表示制御プログラム１３６ａが実行されて、図５に示す一覧表示画面５１０ａが表示されるように構成されている。ここで、図５の「外部入力１」〜「外部入力４」という表記はそれぞれ、インターフェース部１０の外部入力端子（Ｓ端子１１〜ＨＤＭＩ端子１４）に対応しているものとする。
選択／決定部７０２ａ（選択決定手段）は、上記一覧表示された複数の外部入力端子より、特定の外部入力端子をユーザに選択決定させるための十字キーや決定ボタンで構成され、例えば、図５の背面がドットで表示された「外部入力３」を選択対象の外部入力端子として、十字キーを操作することで上下左右方向に当該選択対象を切替え、決定ボタンを押下して上記選択対象とする外部入力端子を決定することができる。
【００５１】
記憶部１３０は、ＣＰＵ１１０が実行するプログラムを格納したエリアや当該プログラムの実行に必要な各種データを格納するエリアを備えて構成され、例えば、開始タイミング判断プログラム１３１ａ（認証手段、開始タイミング判断手段）、駆動開始プログラム１３２（認証手段、駆動開始手段）と、停止タイミング判断プログラム１３３ａ（認証手段、停止タイミング判断手段）と、駆動停止プログラム１３４（認証手段、駆動停止手段）、表示制御プログラム１３６ａ（表示制御手段）と、等を備えている。
【００５２】
開始タイミング判断プログラム１３１ａは、コントロール部７００ａによる外部入力端子の選択動作の開始からＨＤＭＩ端子１４が選択されるより前までの間で、認証部２０により認証を受ける開始タイミングを判断する機能をＣＰＵ１１０に実行させるプログラムである。
具体的には、コントロール部７００ａの表示ボタン７０１ａがユーザに押下され、ＣＰＵ１１０が、後述の表示制御プログラム１３６ａを実行して表示部５００に一覧表示画面５１０ａを表示させると、開始タイミング判断プログラム１３１ａを実行し、当該一覧表示画面５１０ａにより各々の外部入力端子が一覧表示された時点で、認証部２０により認証を受ける開始タイミングであると判断する。
【００５３】
停止タイミング判断プログラム１３３ａは、駆動開始プログラム１３２により認証部２０の駆動が開始した場合に、認証部２０を停止する停止タイミングを判断する機能をＣＰＵ１１０に実行させるプログラムである。
具体的には、表示部５００に一覧表示画面５１０ａが表示されると、ＣＰＵ１１０は開始タイミング判断プログラム１３１ａの実行により開始タイミングであると判断して、駆動開始プログラム１３２を実行して認証部２０の駆動を開始させる。すると、ＣＰＵ１１０は停止タイミング判断プログラム１３３ａを実行し、ユーザが選択／決定部７０２ａにより一覧表示画面５１０ａに表示される何れの外部入力端子も選択しなかった場合（つまり、予め定められた時間が経過するまでに決定ボタンを押下しなかった、或いは一覧表示画面５１０ａの表示を終了させた等）、又は、ＨＤＭＩ端子１４以外の外部入力端子が選択決定された場合、に該当するか否かを判断し、該当する場合に停止タイミングであると判断する。
【００５４】
表示制御プログラム１３６ａは、コントロール部７００ａの操作に応じて、各々の外部入力端子を表示部５００に一覧表示させる機能をＣＰＵ１１０に実行させるプログラムである。
具体的には、ユーザがコントロール部７００ａの表示ボタン７０１ａを操作（押下）して、当該操作に基づく操作信号が制御部１００に入力されると、ＣＰＵ１１０は、表示制御プログラム１３６ａを実行し、ＯＳＤ回路８０を介して記憶部１３０に記憶されるＯＳＤデータを合成し、図５に示すような一覧表示画面５１０ａを表示部５００に表示させる。
【００５５】
（認証処理）
次に、図６のフローチャートを参照しながら、本実施形態の出力装置１ａにより行われる認証処理の流れについて説明する。
【００５６】
まず、ユーザがコントロール部７００ａの表示ボタン７０１ａを押下すると、ＣＰＵ１１０が表示制御プログラム１３６ａを実行し、表示部５００に一覧表示画面５１０ａを表示させる（ステップＳ１１）。
すると、ＣＰＵ１１０は、開始タイミング判断プログラム１３１を実行し、当該一覧表示画面５１０ａにより各々の外部入力端子が一覧表示された時点で、開始タイミングであると判断し、駆動開始プログラム１３２を実行して認証部２０の駆動を開始する（ステップＳ１２）。
【００５７】
次いで、ＣＰＵ１１０は、停止タイミング判断プログラム１３３ａを実行し、ユーザが選択／決定部７０２ａにより一覧表示画面５１０ａに表示される何れの外部入力端子も選択しなかった場合やＨＤＭＩ端子１４以外の外部入力端子に選択決定された場合、に該当するか否かを判断することで、停止タイミングであるか否かを判断する（ステップＳ１３）。
【００５８】
そして、ＣＰＵ１１０は、停止タイミングであると判断した場合（ステップＳ１３；Ｎｏ）、駆動停止プログラム１３４を実行して認証部２０の駆動を停止し（ステップＳ１４）、ステップＳ１１以降の処理を繰り返す。
【００５９】
一方で、ＣＰＵ１１０は、停止タイミングでないと判断した場合（ステップＳ１３；Ｙｅｓ）、選択／決定部７０２ａを介してユーザによりＨＤＭＩ端子１４が外部入力端子として選択決定されているか否かを判断する（ステップＳ１５）。
そして、ＣＰＵ１１０は、ＨＤＭＩ端子１４が選択決定されていないと判断した場合（ステップＳ１５；Ｎｏ）、ステップＳ１３以降の処理を繰り返す。
一方で、ＣＰＵ１１０は、ＨＤＭＩ端子１４が選択決定されていると判断した場合（ステップＳ１５；Ｙｅｓ）、認証処理を完了させ、入力切替部５０や処理部６０に所定の制御信号を出力して外部入力端子のＨＤＭＩ端子１４への入力切替え処理を行う（ステップＳ１６）。
【００６０】
以上説明した本実施形態における出力装置１ａによれば、ユーザの操作により所定の操作信号を出力するコントロール部７００ａと、コントロール部７００ａの操作に応じて、各々の外部入力端子を一覧表示画面５１０ａとして表示部５００に一覧表示させる機能をＣＰＵ１１０に実行させる表示制御プログラム１３６ａと、ＣＰＵ１１０の表示制御プログラム１３６ａの実行により一覧表示された外部入力端子より、特定の外部入力端子をユーザに選択決定させる選択／決定部７０２ａと、を備え、開始タイミング判断プログラム１３１ａは、ＣＰＵ１１０の表示制御プログラム１３６ａの実行により各々の外部入力端子が一覧表示された時点で、開始タイミングであると判断する機能をＣＰＵ１１０に実行させる。
【００６１】
つまり、コントロール部７００ａがユーザに操作されて、各々の外部入力端子が一覧表示画面５１０ａに一覧表示され、ユーザによって外部入力端子が変更される可能性が生じた状態に至って、はじめてＣＰＵ１１０が開始タイミングと判断するので、一層好適に認証部２０の電力の消費を抑えることが可能となる。
【００６２】
また、出力装置１ａによれば、停止タイミング判断プログラム１３３ａは、選択／決定部７０２ａにより一覧表示画面５１０ａに表示される何れの外部入力端子も選択しなかった場合、又は、ＨＤＭＩ端子１４以外の外部入力端子が選択決定された場合、に停止タイミングであると判断する機能をＣＰＵ１１０に実行させる。
【００６３】
つまり、一覧表示画面５１０ａが表示された後に、何れの外部入力端子も選択されなかった場合や、ＨＤＭＩ端子１４以外の外部入力端子が選択決定された場合、その後ＨＤＭＩ端子１４が選択される可能性は低いと予測されるため、ＣＰＵ１１０が停止タイミングであると判断することで、一層好適に認証部２０の電力の消費を抑えることが可能となる。
【００６４】
なお、本発明の範囲は上記実施形態に限られることなく、本発明の趣旨を逸脱しない範囲において種々の改良並びに設計の変更を行っても良い。
上述の実施形態１では、ＣＰＵ１１０が開始タイミング判断プログラム１３１を実行すると、図２におけるＨＤＭＩ端子１４の順位がユーザの選択した外部入力端子の順位（つまり、１の順位）よりも大きい場合に認証を受ける開始タイミングであると判断する場合を説明したが、ＨＤＭＩ端子１４の順位が予め設定した順位範囲（例えば、２の順位〜４の順位）にある場合にのみ、開始タイミングであると判断するようにしてもよい。このとき、ＨＤＭＩ端子１４がユーザの選択した外部入力端子より後順位かつ５の順位〜８の順位にある場合、ＣＰＵ１１０は開始タイミングと判断せず、駆動開始プログラム１３２により認証部２０の駆動を開始しないので、一層好適に認証部２０の電力の消費を抑えることが可能となる。
【符号の説明】
【００６５】
１                              出力装置
１０                            インターフェース部
１１                            Ｓ端子（外部入力端子）
１２                            Ｄ端子（外部入力端子）
１３                            コンポジット端子（外部入力端子）
１４                            ＨＤＭＩ端子（外部入力端子）
２０                            認証部（認証手段、制御ＬＳＩ）
１００                          制御部（選択手段）
１１０                          ＣＰＵ（認証手段、開始タイミング判断手段、外部入力端子特定手段、駆動開始手段、停止タイミング判断手段、選択判断手段、駆動停止手段）
１３０                          記憶部
１３１                          開始タイミング判断プログラム（認証手段、開始タイミング判断手段、外部入力端子特定手段）
１３２                          駆動開始プログラム（認証手段、駆動開始手段）
１３３                          停止タイミング判断プログラム（認証手段、停止タイミング判断手段、選択判断手段）
１３４                          駆動停止プログラム（認証手段、駆動停止手段）
１３５                          順序データ（記憶手段）
７００                          コントロール部（選択手段）
７０１                          切替ボタン（切替選択部）
１０００〜１００４              ＡＶ機器（外部出力機器）
「第２実施形態」
１ａ                            出力装置
１１０                          ＣＰＵ（認証手段、開始タイミング判断手段、駆動開始手段、停止タイミング判断手段、駆動停止手段、表示制御手段）
１３０                          記憶部
１３１ａ                          開始タイミング判断プログラム（認証手段、開始タイミング判断手段）
１３３ａ                          停止タイミング判断プログラム（認証手段、停止タイミング判断手段）
１３６ａ                          表示制御プログラム（表示制御手段）
５００                            表示部（表示手段）
７００ａ                          コントロール部（選択手段、操作部）
７０１ａ                          表示ボタン
７０２ａ                          選択／決定部（選択決定手段）
【図１】
2010283560.tif 000003
【図２】
2010283560.tif 000004
【図３】
2010283560.tif 000005
【図４】
2010283560.tif 000006
【図５】
2010283560.tif 000007
【図６】
2010283560.tif 000008